(57)【要約】【課題】  重量の大きなディスプレイ装置であっても容易かつ効率よく設置することができるディスプレイ装置用スタンドを提供すること。【解決手段】  ディスプレイ装置用スタンド１を、水平な設置面８０上を移動することが可能に構成される基部２と、基部２に設けられる移動体であって、鉛直方向に昇降することが可能に構成される移動部４を有する移動体３と、ディスプレイ装置７が取付けられるディスプレイ装置取付体６と、移動部４およびディスプレイ装置取付体６にわたって設けられ、ディスプレイ装置取付体６を、移動部４に対して近接離反方向および鉛直方向に変位させることが可能に構成される位置調整手段５とを含んで構成する。【選択図】      図１
2014074812.tif 000002
【特許請求の範囲】
【請求項１】
水平な設置面上を移動することが可能に構成される基部と、
前記基部に設けられる移動体であって、鉛直方向に昇降することが可能に構成される移動部を有する移動体と、
ディスプレイ装置が取付けられるディスプレイ装置取付体と、
前記移動部および前記ディスプレイ装置取付体にわたって設けられ、前記移動部に対して近接離反方向および鉛直方向に前記ディスプレイ装置取付体を変位させることが可能に構成される位置調整手段と、を含むことを特徴とするディスプレイ装置用スタンド。
【請求項２】
前記ディスプレイ装置取付体は、略四角枠状に形成され、
前記位置調整手段は、
前記ディスプレイ装置取付体の４つの角部のうち、下側に配置される２つの角部のうちの一方を、前記移動部に対して近接離反方向に変位させて、前記ディスプレイ装置取付体の前記移動部に対する位置を調整することが可能に構成される第１調整部と、
前記下側に配置される２つの角部のうちの他方を、前記移動部に対して近接離反方向に変位させて、前記ディスプレイ装置取付体の前記移動部に対する位置を調整することが可能に構成される第２調整部と、
前記ディスプレイ装置取付体の４つの角部のうち、上側に配置される２つの角部のうちの一方を鉛直方向に変位させて、前記移動部に対して鉛直方向の位置を調整することが可能に構成される第３調整部と、
前記上側に配置される２つの角部のうちの他方を鉛直方向に変位させて、前記移動部に対して鉛直方向の位置を調整することが可能に構成される第４調整部とを含み、
前記第１および第２調整部は、前記ディスプレイ装置取付体および前記移動部の一方から他方に向かって突出して該他方に接触し、接触箇所の変位によって前記ディスプレイ装置取付体の前記移動部に対する位置を近接離反方向に変位させ、
前記第３および第４調整部は、前記移動部に固定されて前記ディスプレイ装置取付体を支持し、支持箇所の変位によって前記ディスプレイ装置取付体を前記鉛直方向に変位させることを特徴とする請求項１記載のディスプレイ装置用スタンド。
【発明の詳細な説明】
【技術分野】
【０００１】
本発明は、マルチディスプレイ、液晶ディスプレイおよびプラズマディスプレイなどのディスプレイ装置を支持するディスプレイ装置用スタンドに関する。
【背景技術】
【０００２】
近年、液晶ディスプレイおよびプラズマディスプレイなどのディスプレイ装置が広く普及し、６０インチを超える大型ディスプレイ装置も屋内にとどまらず、あらゆる場所で利用されている。また複数のディスプレイ装置を一平面上でマトリクス状に組み合わせて１つのディスプレイ装置を構成する、いわゆるマルチディスプレイ装置も実用化され、広く利用されている。
【０００３】
大型ディスプレイ装置およびマルチディスプレイ装置は、その重量が約１００ｋｇ〜３００ｋｇと大きいこともあり、建物の壁面にボルトなどで固定された支持フレームに取付けられて設置され、または専用の設置台に設置されている。したがって、これら大型ディスプレイ装置およびマルチディスプレイ装置は、容易に移動できるものではない。
【０００４】
一方、これらディスプレイ装置の普及にともない、たとえば展示会場、ライブ会場、屋外のイベント会場などにおける舞台装置においても、大型ディスプレイ装置およびマルチディスプレイ装置を使用したい、という要望がある。
【０００５】
たとえばステージとステージの後方に設けられるバックパネルとも称される壁構造体とを備える舞台装置において、前記壁構造体にマルチディスプレイ装置を設置する場合、従来技術では、壁構造体に、予めマルチディスプレイ装置を配置するための開口部を形成し、該開口部に枠状のフレームを取り付けるための下地構造体を構築し、該下地構造体に前記フレームを取り付ける。そして、マルチディスプレイ装置を構成する各ディスプレイ装置を前記フレームにそれぞれ嵌め込んで取付け、こうして壁構造体にマルチディスプレイ装置が設置される。
【０００６】
またディスプレイ装置用スタンドの他の従来技術としては、特許文献１記載の薄型ディスプレイ用のスタンドを挙げることができる。この従来技術では、薄型ディスプレイ用のスタンドは、支持脚とキャスタとアジャスタとからなる基台と、基台に固定され、基台から垂直に延びる２本の支柱と、前記支柱に摺動可能に設けられる昇降ケースと、昇降ケースの前面に設けられるベースフレームと、ベースフレームに設けられるアタッチメントと、を含んで構成される。
【０００７】
この他の従来技術のスタンドは、支柱に摺動可能に設けられる昇降ケースを摺動させることによって、鉛直方向に関してディスプレイ装置の位置を調整することができる。また従来技術のスタンドは、ベースフレームが昇降ケースに対する近接離反方向に変位可能に構成されるので、前後方向に関してディスプレイ装置の位置を調整することができる。
【先行技術文献】
【特許文献】
【０００８】
【特許文献１】実用新案登録第３１０３３９０号公報
【発明の概要】
【発明が解決しようとする課題】
【０００９】
前述の従来技術では、大型ディスプレイ装置およびマルチディスプレイ装置を設置するために、舞台装置の設営に加えて、下地構造体を構築する必要があり、舞台装置を撤去する際には、下地構造体も撤去しなければならない。そのため、大型ディスプレイ装置およびマルチディスプレイ装置を設置および撤去するために、多大なコストと時間が必要となる、という問題がある。
【００１０】
また前述の従来技術では、下地構造体にフレームを取り付けた後に、大型ディスプレイ装置またはマルチディスプレイ装置を該フレームに設置するので、重量が大きい大型ディスプレイ装置またはマルチディスプレイ装置をフレームの位置まで移動させる必要があり、撤去時には、重量が大きい大型ディスプレイ装置またはマルチディスプレイ装置をフレームから取り外す必要がある。そのため、大型ディスプレイ装置またはマルチディスプレイ装置の設置および撤去に時間と労力を要する、という問題がある。
【００１１】
このような問題を解消するため、予め壁構造体に、設置すべき大型ディスプレイ装置またはマルチディスプレイ装置に対応する開口部を形成し、大型ディスプレイ装置またはマルチディスプレイ装置を移動式のスタンドによって支持して設置することが考えられる。しかしながら、前述の他の従来技術のスタンドは、そもそも、前述した大型ディスプレイ装置またはマルチディスプレイ装置を想定したものではない。
【００１２】
ディスプレイ装置の設置作業において、前述のように、重量が大きい大型ディスプレイ装置およびマルチディスプレイ装置は、自重によって両側部が中央部よりも下方へ左右個別に変形しており、しかも前後方向には、鉛直平面を基準にして、画面中央から４つの角部に向かって個別に前後方向に変形量が異なる。そのため、このようなディスプレイ装置を、設置対象とする壁構造体の開口部へ嵌め込むに際しては、ディスプレイ装置の位置調整のために多くの手間および時間を要し、ディスプレイ装置の設置作業を容易にかつ効率よく行うことが要求される。
【００１３】
しかしながら、前述の他の従来技術のスタンドは、昇降ケースに対するベースフレームの鉛直方向の位置を調整することができず、ディスプレイ装置の鉛直方向の位置調整は、支柱に対する昇降ケースの鉛直方向の位置の調整のみで行われることになるので、ディスプレイ装置の位置の微調整ができず、設置作業を容易かつ効率よく行うことができない。
【００１４】
本発明の目的は、重量の大きなディスプレイ装置であっても容易かつ効率よく設置することができるディスプレイ装置用スタンドを提供することである。
【課題を解決するための手段】
【００１５】
本発明は、水平な設置面上を移動することが可能に構成される基部と、
前記基部に設けられる移動体であって、鉛直方向に昇降することが可能に構成される移動部を有する移動体と、
ディスプレイ装置が取付けられるディスプレイ装置取付体と、
前記移動部および前記ディスプレイ装置取付体にわたって設けられ、前記移動部に対して近接離反方向および鉛直方向に前記ディスプレイ装置取付体を変位させることが可能に構成される位置調整手段と、を含むことを特徴とするディスプレイ装置用スタンドである。
【００１６】
また本発明は、前記ディスプレイ装置取付体は、略四角枠状に形成され、
前記位置調整手段は、
前記ディスプレイ装置取付体の４つの角部のうち、下側に配置される２つの角部のうちの一方を、前記移動部に対して近接離反方向に変位させて、前記ディスプレイ装置取付体の前記移動部に対する位置を調整することが可能に構成される第１調整部と、
前記下側に配置される２つの角部のうちの他方を、前記移動部に対して近接離反方向に変位させて、前記ディスプレイ装置取付体の前記移動部に対する位置を調整することが可能に構成される第２調整部と、
前記ディスプレイ装置取付体の４つの角部のうち、上側に配置される２つの角部のうちの一方を鉛直方向に変位させて、前記移動部に対して鉛直方向の位置を調整することが可能に構成される第３調整部と、
前記上側に配置される２つの角部のうちの他方を鉛直方向に変位させて、前記移動部に対して鉛直方向の位置を調整することが可能に構成される第４調整部とを含み、
前記第１および第２調整部は、前記ディスプレイ装置取付体および前記移動部の一方から他方に向かって突出して該他方に接触し、接触箇所の変位によって前記ディスプレイ装置取付体の前記移動部に対する位置を近接離反方向に変位させ、
前記第３および第４調整部は、前記移動部に固定されて前記ディスプレイ装置取付体を支持し、支持箇所の変位によって前記ディスプレイ装置取付体を前記鉛直方向に変位させることを特徴とする。
【発明の効果】
【００１７】
本発明によれば、水平な設置面を移動することが可能に構成される基台に、鉛直方向に昇降することが可能に構成される移動部を有する移動体が設けられる。前記移動体の移動部とディスプレイ装置取付体とにわたって位置調整手段が設けられる。位置調整手段は、ディスプレイ装置取付体を移動部に対して近接離反方向および鉛直方向に変位させることができる。
【００１８】
このようにディスプレイ装置用スタンドは、ディスプレイ装置がディスプレイ装置取付体に取付けられ、ディスプレイ装置取付体が前記位置調整手段を介して移動体の移動部に取付けられるので、基台によって設置面上を移動させて、希望する設置場所にディスプレイ装置用スタンドを配置し、ディスプレイ装置が設置されるべき所定の設置位置の近傍に該ディスプレイ装置が配置された状態から、該ディスプレイ装置を移動部によって鉛直方向に移動させて高さ位置を調整し、前記位置調整手段によって、該ディスプレイ装置を前記移動部に対して近接離反方向に変位させ、さらに鉛直方向に変位させて、該ディスプレイ装置を、容易かつ迅速に、前記所定の設置位置に高精度で位置決めして配置し、設置することができる。
【００１９】
また本発明によれば、位置調整手段が第１〜第４調整部を含んで構成されるので、第１調整部によって、ディスプレイ装置取付体の４つの角部のうち、下側に配置される２つの角部のうちの一方を、移動部に対して近接離反方向に変位させて位置を調整することができる。また第２調整部によって、前記下側に配置される２つの角部のうちの他方を、移動部に対して近接離反方向に変位させて位置を調整することができる。さらに第３調整部によって、ディスプレイ装置取付体の４つの角部のうち、上側に配置される２つの角部のうちの一方を鉛直方向に変位させて鉛直方向の位置を調整することができる。さらに第４調整部によって、前記上側に配置される２つの角部のうちの他方を鉛直方向に変位させて、前記移動部に対する鉛直方向の位置を調整することができる。
【図面の簡単な説明】
【００２０】
【図１】本発明の実施形態に係るディスプレイ装置用スタンド１を右側面から見たときの内部構造を示す図である。
【図２】ディスプレイ装置用スタンド１を背面から見たときの内部構造を示す図である。
【図３】ディスプレイ装置用スタンド１を平面から見たときの内部構造を示す図である。
【図４】移動体３の構成を示す部分拡大図である。
【図５】移動部４がＺ方向一方に移動した状態を右側面から見た模式図である。
【図６】移動部４がＺ方向一方に移動した状態を背面から見た模式図である。
【図７】固定フレーム５０を示す斜視図である。
【図８】可動フレーム６０を示す斜視図である。
【図９】正面から見たときの位置調整手段５の構成を示す図である。
【図１０】平面から見たときの位置調整手段５の構成を示す図である。
【図１１】右側面から見たときの位置調整手段５の構成を示す図である。
【図１２】第１調整部Ａ１の動作を説明する模式図であり、図１２（１）は第１調整ボルト７０の螺進前の状態を示す図であり、図１２（２）は第１調整ボルト７０の螺進後の状態を示す図である。
【図１３】第３調整部Ａ３の構成を示す部分拡大断面図である。
【発明を実施するための形態】
【００２１】
図１は、本発明の実施形態に係るディスプレイ装置用スタンド１を右側面から見たときの内部構造を示す図であり、図２は、ディスプレイ装置用スタンド１を背面から見たときの内部構造を示す図であり、図３は、ディスプレイ装置用スタンド１を平面から見たときの内部構造を示す図であり、図４は、移動体３の構成を示す部分拡大図である。
【００２２】
ディスプレイ装置用スタンド１（以下、「スタンド１」という。）は、水平な設置面８０上を移動可能な基部２と、基部２に設けられる移動体であって鉛直方向に昇降可能に構成される移動部４を有する移動体３と、ディスプレイ装置７が取付けられるディスプレイ装置取付体６と、移動部４およびディスプレイ装置取付体６にわたって設けられ、ディスプレイ装置取付体６を移動部４に対する近接離反方向および鉛直方向に変位可能に構成される位置調整手段５とを含んで構成される。
【００２３】
基部２は、四角板状の基台２０と、基台２０の長手方向の各端部側に設けられる２つの脚部２１ａ,２１ｂと、固定部１０と、巻上げ機１３とを含む。以下、基台２０の長手方向を「Ｘ方向」と称し、前記長手方向に垂直な幅方向を「Ｙ方向」と称し、前記長手方向および前記幅方向に垂直な方向を「Ｚ方向」と称して説明する。
【００２４】
基台２０は、金属製のフレーム部材を枠組みして枠体を構成し、該枠体に板状部材を固定することによって実現することができる。基台２０の下面にはキャスタ９０が設けられる。これによって、基台２０は設置面上を移動することができる。また基台２０には、補助脚９２が設けられる。補助脚９２は、軸部と円盤状の脚部とを有する。補助脚９２は、軸部が基台２０に形成された孔に挿通され、脚部が設置面８０に当接する。
【００２５】
基台２０のＸ方向の各端面部には、Ｘ方向に厚みを有するレール片２２ａ,２２ｂが形成される。レール片２２ａ,２２ｂは、Ｙ方向に一様に延びて形成される。レール片２２ａ,２２ｂのＺ方向の各表面部には、図示しない複数のリテーナが前記Ｙ方向に間隔をあけて取り付けられる。
【００２６】
脚部２１ａ,２１ｂは、四角柱状に形成され、Ｙ方向に沿って延びる。各脚部２１ａ,２１ｂの基台２０に臨む端面部には、Ｘ方向に厚みを有し、Ｙ方向に延びる断面が凸状のレール片２３ａ,２３ｂが形成される。２つの脚部２１ａ,２１ｂの下面にはキャスタ９１が設けられる。これによって各脚部２１ａ,２１ｂは、設置面８０上を移動可能に構成される。
【００２７】
基台２０と２つの脚部２１ａ,２１ｂとの間には案内レール２４ａ,２４ｂがそれぞれ設けられる。案内レール２４ａ,２４ｂは、断面が略Ｈの字状に形成され、Ｙ方向に延びる長尺材である。案内レール２４ａ,２４ｂの長手寸法は、基台２０の幅寸法とほぼ同じ長さに設定される。案内レール２４ａ,２４ｂは、各レール片２２ａ,２２ｂ,２３ａ,２３ｂがそれぞれ嵌り込む２つの案内部を有する。
【００２８】
前記案内部には、基台２０のレール片２２ａ,２２ｂと脚部２１ａ,２１ｂのレール片２３ａ,２３ｂとがそれぞれ差し込まれる。これによって、基台２０と各脚部２１ａ,２１ｂとが案内レール２４ａ,２４ｂにより、Ｙ方向に摺動可能に連結される。
【００２９】
基台２０と各脚部２１ａ,２１ｂとの間には、板状の位置固定部材２５ａ,２５ｂが取り付けられる。位置固定部材２５ａ,２５ｂは、基台２０の上面と各脚部２１ａ,２１ｂの上面とにわたってそれぞれ設けられる。位置固定部材２５ａ,２５ｂは、Ｘ方向一端部が基台２０にボルトによって固定され、Ｘ方向他端部が各脚部２１ａ,２１ｂにボルトによって固定される。
【００３０】
これによって、位置固定部材２５ａ,２５ｂは、基台２０と各脚部２１ａ,２１ｂとの摺動を規制し、基台２０に対する各脚部２１ａ,２１ｂの位置を固定する。位置固定部材２５ａ,２５ｂの各脚部２１ａ,２１ｂの上面に配置される位置には、Ｙ方向に間隔をあけて、複数の孔が形成される。位置固定部材２５ａ,２５ｂと各脚部２１ａ,２１ｂとは、前記孔にボルトの軸部が挿通されて固定される。基台２０に対する各脚部２１ａ,２１ｂのＹ方向の位置は、ボルトの軸部が挿通される前記孔を変更することによって、調整することができる。
【００３１】
固定部１０は、一対の第１固定支柱３０ａ,３０ｂと、一対の第２固定支柱３１ａ,３１ｂと、中間支柱３２とを有する。
【００３２】
第１固定支柱３０ａ,３０ｂは、Ｚ方向に延びる断面が略Ｃ字状の長尺材であり、互いに対向して設けられる。第１固定支柱３０ａ,３０ｂは、長手方向一端部が基台２０に固定される。
【００３３】
第２固定支柱３１ａ,３１ｂは、Ｚ方向に延びる断面が略Ｃ字状の長尺材であり、互いに対向して設けられる。第２固定支柱３１ａ,３１ｂは、長手方向一端部が基台２０に固定される。
【００３４】
中間支柱３２は、Ｚ方向に延びる断面が略Ｃ字状の長尺材であり、基台２０のＸ方向中間部で、かつ、第２固定支柱３１ａ,３１ｂよりもＹ方向に関して第１固定支柱３０ａ,３０ｂから離間した位置に設けられる。中間支柱３２は、長手方向一端部が基台２０に固定される。
【００３５】
第１固定支柱３０ａ,３０ｂ、第２固定支柱３１ａ,３１ｂおよび中間支柱３２の長手寸法は、同一に形成される。固定部１０は、巻上げ機１３を支持する板状の巻上げ機支持部材１５と、後述する第２索条２８ａ,２８ｂの一端部が係止される板状の索条係止部材１６とを含む。
【００３６】
巻上げ機支持部材１５は、第１固定支柱３０ａ,３０ｂ、第２固定支柱３１ａ,３１ｂおよび中間支柱３２にそれぞれ固定される。巻上げ機支持部材１５には、第１固定支柱３０ａ,３０ｂ、第２固定支柱３１ａ,３１ｂおよび中間支柱３２がそれぞれ挿通される孔が形成され、第１固定支柱３０ａ,３０ｂ、第２固定支柱３１ａ,３１ｂおよび中間支柱３２は、該孔にそれぞれ挿通されて、巻上げ機支持部材１５を貫通して設けられる。
【００３７】
索条係止部材１６は、巻上げ機支持部材１５よりもＺ方向一方（上方）寄りに設けられる。索条係止部材１６は、第１固定支柱３０ａ,３０ｂ、第２固定支柱３１ａ,３１ｂおよび中間支柱３２にそれぞれ固定される。索条係止部材１６には、第１固定支柱３０ａ,３０ｂ、第２固定支柱３１ａ,３１ｂおよび中間支柱３２がそれぞれ挿通される孔が形成され、第１固定支柱３０ａ,３０ｂ、第２固定支柱３１ａ,３１ｂおよび中間支柱３２は、該孔にそれぞれ挿通されて、索条係止部材１６を貫通して設けられる。また索条係止部材１６には、後述する第１索条２７が挿通される孔が形成される。
【００３８】
第１固定支柱３０ａ,３０ｂ、第２固定支柱３１ａ,３１ｂおよび中間支柱３２の長手方向他端部には、略板状の蓋体３３が取り付けられる。蓋体３３の底部には、第１索条２７が巻き掛けられる第１滑車１７が設けられる。蓋体３３は、第１固定支柱３０ａ,３０ｂ、第２固定支柱３１ａ,３１ｂおよび中間支柱３２の長手方向他端部側端面を覆う。
【００３９】
巻上げ機１３は、巻上げ機支持部材１５に設置され、第１索条２７の一部が巻き掛けられる。巻上げ機１３は、第１索条２７を巻き上げ、および巻き下ろし可能であり、たとえば手巻ウィンチまたは動力ウィンチによって実現される。
【００４０】
第１索条２７は、一端部側が巻上げ機１３に巻き掛けられ、第１滑車１７に巻き掛けられて、他端部が後述する可動部１１の底部材４１に係止される。第１索条２７は、たとえばワイヤロープによって実現される。
移動体３は、可動部１１と、移動部４とを含んで構成される。
【００４１】
可動部１１は、Ｚ方向に延び、断面が略Ｃ字状の一対の可動レール４０ａ,４０ｂと、可動レール４０ａ,４０ｂの長手方向一端部に、可動レール４０ａ,４０ｂ間にわたって設けられ、可動レール４０ａ,４０ｂの長手方向一端部側の端面を覆う板状の底部材４１と、可動レール４０ａ,４０ｂの長手方向他端部に、Ｙ方向に延び、可動レール４０ａ,４０ｂ間にわたって設けられ、可動レール４０ａ,４０ｂの長手方向他端部側の端面を覆う板状の蓋体４２と、を含んで構成される。
【００４２】
蓋体４２の下面であってＹ方向中間部には、後述する２本の第２索条２８ａ,２８ｂに対応して、２つの第２滑車１８ａ,１８ｂが設けられる。
【００４３】
可動レール４０ａ,４０ｂの外表面部には、第２固定支柱３１ａ,３１ｂに形成される空間内に収容され、第２固定支柱３１ａ,３１ｂ内でＺ方向に移動可能な複数の案内ローラ４３が取り付けられる。本実施形態では、案内ローラ４３は、Ｚ方向に間隔をあけて３つ取り付けられている。
【００４４】
底部材４１には、第１索条２７の他端部が係止される。巻上げ機１３を駆動して第１索条２７を巻上げることによって、可動部１１には第１滑車１７に近接する方向への力が作用する。これによって、可動部１１は、第２固定支柱３１ａ,３１ｂに案内されてＺ方向一方（上方）に移動する。また巻上げ機１３を駆動して第１索条２７を巻下ろすと、可動部１１は自重によって、第２固定支柱３１ａ,３１ｂに案内されてＺ方向他方（下方）に移動する。
【００４５】
移動部４は、移動部本体４５と、フランジ部４６ａ,４６ｂと、案内ローラ４７と、第２索条２８ａ,２８ｂとを含んで構成される。移動部本体４５は、四角形の枠体とＸ方向に延びる２つの中桟とによって構成される。フランジ部４６ａ,４６ｂは、板状に形成され、移動部本体４５からＹ方向に突出する。移動部本体４５のフランジ部４６ａ,４６ｂが形成される側には、第２索条２８ａ,２８ｂの他端部がそれぞれ係止される係止部４８ａ,４８ｂが形成される。
【００４６】
フランジ部４６ａ,４６ｂの遊端部には、可動レール４０ａ,４０ｂに形成される空間内に収容され、可動レール４０ａ,４０ｂ内でＺ方向に移動可能な複数の案内ローラ４７が取り付けられる。本実施形態では、案内ローラ４７は、Ｚ方向に間隔をあけて３つ取り付けられている。
【００４７】
第２索条２８ａ,２８ｂは、一端部が索条係止部材１６に係止され、第２滑車１８ａ,１８ｂにそれぞれ巻き掛けられて、他端部が係止部４８ａ,４８ｂにそれぞれ係止される。第２索条２８ａ,２８ｂは、たとえばワイヤロープによって実現される。
【００４８】
図５は、移動部４がＺ方向一方に移動した状態を右側面から見た模式図であり、図６は、移動部４がＺ方向一方に移動した状態を背面から見た模式図である。以下、移動部４および可動部１１のＺ方向への移動について説明する。
【００４９】
移動部４および可動部１１は、巻上げ機１３によって第１索条２７を巻き上げおよび巻き下ろしすることにより、Ｚ方向に移動する。具体的に説明すると、巻上げ機１３によって第１索条２７を巻き上げると、可動部１１がＺ方向一方（上方）に移動する。可動部１１がＺ方向一方（上方）に移動すると、第２滑車１８ａ,１８ｂのＺ方向における位置がＺ方向一方（上方）に移動する。
【００５０】
これによって第２索条２８ａ,２８ｂの他端部がＺ方向一方（上方）に移動し、これにともなって移動部４は可動レール４０ａ,４０ｂに案内されてＺ方向一方（上方）に移動する。
【００５１】
反対に、巻上げ機１３によって第１索条２７を巻き下ろすと、可動部１１がＺ方向他方（下方）に移動する。可動部１１がＺ方向一方（下方）に移動すると、第２滑車１８ａ,１８ｂのＺ方向における位置がＺ方向他方（下方）に移動する。
【００５２】
これによって第２索条２８ａ,２８ｂの他端部がＺ方向他方（下方）に移動し、これにともなって移動部４は可動レール４０ａ,４０ｂに案内されてＺ方向他方（下方）に移動する。このようにして、移動部４および可動部１１は、Ｚ方向に移動する。
【００５３】
次に位置調整手段５について説明する。位置調整手段５は、固定フレーム５０と可動フレーム５１とを含む。図７は固定フレーム５０を示す斜視図であり、図８は可動フレーム６０を示す斜視図である。
【００５４】
固定フレーム５０は、略四角枠状に形成される板状のフレーム本体５２と、フレーム本体５２のＺ方向一方側の角部にそれぞれ設けられる取付筐体５３ａ,５３ｂと、フレーム本体５２のＺ方向他方側の角部に連なり、Ｘ方向に延出して形成される延出部５４ａ,５４ｂとを有する。フレーム本体５２は、移動部本体４５にねじ止めされて固定される。
【００５５】
取付筐体５３ａ,５３ｂは、四角箱状に形成される。取付筐体５３ａ,５３ｂの上面部には、ねじ孔５５ａ,５５ｂが形成される。また取付筐体５３ａ,５３ｂの下面部には、ねじ孔５９ａ,５９ｂが形成される。ねじ孔５５ａとねじ孔５９ａは、同一軸線上に中心が配置される。ねじ孔５５ｂとねじ孔５９ｂは、同一軸線上に中心が配置される。
【００５６】
取付筐体５３ａ,５３ｂのフレーム本体５２に臨む側面部およびこれと対向する側面部には、Ｚ方向に延びる長孔５６ａ,５６ｂが形成される。取付筐体５３ａ,５３ｂのＹ方向一方（前方）に臨む表面部は、後述する可動フレーム６０の嵌合片６３ａ,６３ｂが差し込まれる開口部５７が形成される。
【００５７】
延出部５４ａ,５４ｂは、板状に形成され、フレーム本体５２に連なる。延出部５４には、Ｙ方向に貫通するねじ孔５８ａ,５８ｂが形成される。
【００５８】
可動フレーム６０は、格子状に形成されるフレーム本体６１と、フレーム本体６１のＺ方向中間部からＸ方向に連なって形成されるフランジ部６２ａ,６２ｂと、フランジ部６２ａ,６２ｂからＹ方向他方（後方）に突出して形成される嵌合片６３ａ,６３ｂと、フレーム本体６１のＺ方向他方側の角部に連なり、Ｘ方向に延出して形成される延出部６４ａ,６４ｂとを有する。嵌合片６３ａ,６３ｂには、Ｘ方向に貫通するピン孔６５が形成される。
【００５９】
図９は、正面から見たときの位置調整手段５の構成を示す図であり、図１０は、平面から見たときの位置調整手段５の構成を示す図であり、図１１は右側面から見たときの位置調整手段５の構成を示す図である。
【００６０】
固定フレーム５０と可動フレーム６０とは、取付筐体５３ａ,５３ｂの開口部５７の開口に嵌合片６３ａ,６３ｂを差込み、ピン７４ａ,７４ｂを長孔５６ａ,５６ｂ、ピン孔６５に挿通し、ねじ孔５５ａ,５５ｂにＺ方向一方側から固定ボルト７５ａ,７５ｂを螺着し、嵌合片６３ａ,６３ｂに当接させ、ねじ孔５９ａ,５９ｂにＺ方向他方側から第３および第４調整ボルト７２,７３をそれぞれ螺着して、嵌合片６３ａ,６３ｂに当接させることによって、相互に連結される。このように、固定フレーム５０と可動フレーム６０とは、連結されるので、可動フレーム６０は、固定フレーム５０に対して、ピン７４ａ,７４ｂの軸線まわりに変位可能に連結される。
【００６１】
第３および第４調整ボルト７２,７３は、軸部の先端が球面の一部を成す形状に形成される。これによって、第３および第４調整ボルト７２,７３は、嵌合片６３ａ,６３ｂに点接触する。このように、第３および第４調整ボルト７２,７３を嵌合片６３ａ,６３ｂに点接触させて支持することによって、可動フレーム６０のピン７４ａ,７４ｂの軸線まわりの変位を円滑に許容することができる。
【００６２】
位置調整手段５は、第１および第２調整ボルト７０,７１をさらに含む。第１調整ボルト７０は、移動部４側からねじ孔５８ａに螺着され、固定フレーム５０をＹ方向に貫通してその先端が延出部６４ａに当接して設けられる。第２調整用ボルト７１は、移動部４側からねじ孔５８ｂに螺着され固定フレーム５０をＹ方向に貫通してその先端が延出部６４ｂに当接して設けられる。
【００６３】
第１および第２調整ボルト７０,７１は、軸部の先端が球面の一部を成す形状に形成される。これによって、第１および第２調整ボルト７０,７１は、延出部６４ａ,６４ｂに点接触する。このように、第１および第２調整ボルト７０,７１を延出部６４ａ,６４ｂに点接触させることによって、可動フレーム６０の延出部６４ａ,６４ｂをＹ方向に円滑に移動させることができ、微小な調整をすることができる。
【００６４】
位置調整手段５は、第１調整部Ａ１と、第２調整部Ａ２と、第３調整部Ａ３と、第４調整部Ａ４とを有する。延出部５４ａと、ねじ孔５８ａと、第１調整ボルト７０によって第１調整部Ａ１が構成される。延出部５４ｂと、ねじ孔５８ｂと、第２調整ボルト７１によって第１調整部Ａ２が構成される。
【００６５】
嵌合片６３ａと、ピン孔６５と、取付筐体５３ａと、ねじ孔５５ａ,５９ａと、長孔５６ａ,５６ｂと、開口部５７と、固定ボルト７５ａと、第３調整ボルト７２とによって第３調整部Ａ３が構成される。嵌合片６３ｂと、ピン孔６５と、取付筐体５３ｂと、ねじ孔５５ｂ,５９ｂと、長孔５６ａ,５６ｂと、開口部５７と、固定ボルト７５ｂと、第４調整ボルト７３とによって第４調整部Ａ４が構成される。
【００６６】
ディスプレイ装置取付体６は、可動フレーム６０のフレーム本体６１にねじ止めされて固定される。本実施形態では、ディスプレイ装置取付体６は、マルチディスプレイ装置用のディスプレイ取付具であり、格子状に形成されたフレームである。また他の実施形態では、ディスプレイ装置取付体６は、取り付けるべきディスプレイ装置７に対応する枠状のフレームである。ディスプレイ装置取付体６は、公知であるので詳細な説明は省略する。
【００６７】
次に第１〜第４調整部Ａ１〜Ａ４の動作について説明する。図１２は、第１調整部Ａ１の動作を説明する模式図であり、図１２（１）は、第１調整ボルト７０の螺進前の状態を示す図であり、図１２（２）は、第１調整ボルト７０の螺進後の状態を示す図である。
【００６８】
可動フレーム６０は、固定フレーム５０に対して、ピン７４ａ,７４ｂの軸線まわりに変位可能に連結されるので、第１調整部Ａ１は、第１調整ボルト７０を螺進および螺退させ、延出部６４ｂとの接触箇所の変位によって、延出部６４ａをＹ方向に変位させることができる。
【００６９】
これによって、第１調整部Ａ１は、ディスプレイ装置取付体６の４つの角部のうち、下側に配置される２つの角部のうちの一方を、移動部４に対して近接離反方向（Ｙ方向）に変位させて、ディスプレイ装置取付体６の移動部４に対して近接離反方向（Ｙ方向）の位置を調整することができる。
【００７０】
可動フレーム６０は、固定フレーム５０に対して、ピン７４ａ,７４ｂの軸線まわりに変位可能に連結されるので、第２調整部Ａ２は、第２調整ボルト７１を螺進および螺退させ、延出部６４ｂとの接触箇所の変位によって、延出部６４ｂをＹ方向に変位させることができる。
【００７１】
これによって、第２調整部Ａ２は、ディスプレイ装置取付体６の４つの角部のうち、下側に配置される２つの角部のうちの他方を、移動部４に対して近接離反方向（Ｙ方向）に変位させて、ディスプレイ装置取付体６の移動部４に対して近接離反方向（Ｙ方向）の位置を調整することができる。
【００７２】
図１３は、第３調整部Ａ３の構成を示す部分拡大断面図である。第３調整部Ａ３は、固定ボルト７５ａおよび第３調整ボルト７２を、螺進および螺退させることによって、ピン７４ａの鉛直方向（Ｚ方向）位置を、長孔５６ａ,５６ｂに沿って調整することができる。
【００７３】
これによって、第３調整部Ａ３は、ディスプレイ装置取付体６の４つの角部のうち、上側に配置される２つの角部のうちの一方を鉛直方向（Ｚ方向）に変位させて、移動部４に対する鉛直方向（Ｚ方向）の位置を調整することができる。
【００７４】
第４調整部Ａ４は、固定ボルト７５ｂおよび第４調整ボルト７３を、螺進および螺退させることによって、ピン７４ｂの鉛直方向（Ｚ方向）位置を、長孔５６ａ,５６ｂに沿って調整することができる。
【００７５】
これによって、第４調整部Ａ４は、ディスプレイ装置取付体６の４つの角部のうち、上側に配置される２つの角部のうちの他方を鉛直方向（Ｚ方向）に変位させて、移動部４に対する鉛直方向（Ｚ方向）の位置を調整可能に構成される。
【符号の説明】
【００７６】
１  ディスプレイ装置用スタンド
２  基部
３  移動体
４  移動部
５  位置調整手段
６  ディスプレイ装置取付体
７  ディスプレイ装置
１０  固定部
１１  可動部
１２  移動部
１３  巻上げ機
１７  第１滑車
１８ａ,１８ｂ  第２滑車
２７  第１索条
２８ａ,２８ｂ  第２索条
３０ａ,３０ｂ  第１固定支柱
３１ａ,３１ｂ  第２固定支柱
４０ａ,４０ｂ  可動レール
４１  底部材
４３  案内ローラ
４５  移動部本体
４７  案内ローラ
５０  固定フレーム
５３ａ,５３ｂ  取付筐体
５４ａ,５４ｂ  延出部
６０  可動フレーム
６３ａ,６３ｂ  嵌合片
６４ａ,６４ｂ  延出部
６５  ピン孔
７０  第１調整ボルト
７１  第２調整ボルト
７２  第３調整ボルト
７４  第４調整ボルト
７４ａ,７４ｂ  ピン
７５ａ,７５ｂ  固定ボルト
Ａ１  第１調整部
Ａ２  第２調整部
Ａ３  第３調整部
Ａ４  第４調整部
【図１】
2014074812.tif 000003
【図２】
2014074812.tif 000004
【図３】
2014074812.tif 000005
【図４】
2014074812.tif 000006
【図５】
2014074812.tif 000007
【図６】
2014074812.tif 000008
【図７】
2014074812.tif 000009
【図８】
2014074812.tif 000010
【図９】
2014074812.tif 000011
【図１０】
2014074812.tif 000012
【図１１】
2014074812.tif 000013
【図１２】
2014074812.tif 000014
【図１３】
2014074812.tif 000015